(57)【要約】【課題】ＬＥＤホルダーを簡単に取り付けることができると共に、ネジ等が不要なＬＥＤホルダーを提供する。【解決手段】電動工具１００にＬＥＤ１２を取り付けるためのＬＥＤホルダー１０であって、基台１４と、基台１４の前面に設けられ、ＬＥＤ１２の後部が差し込まれる挿入孔２０を有するＬＥＤ固定部１８と、基台１４の後部に設けられ、電動工具１００のフレーム１０２の突部１１８に嵌め込まれる凹部３８とを有するものである。【選択図】      図８
2008188745.tif 000002
【特許請求の範囲】
【請求項１】
電動工具にＬＥＤを取り付けるためのＬＥＤホルダーであって、
前記ＬＥＤホルダーの基台と、
前記基台の前面に設けられ、かつ、前記ＬＥＤの後部が差し込まれる挿入孔を有するＬＥＤ固定部と、
前記基台の後部に設けられ、前記電動工具のフレームの突部に嵌め込まれる凹部と、
前記ＬＥＤ固定部に貫通した配線孔と、
を有するＬＥＤホルダー。
【請求項２】
前記基台の後部に位置決め孔が設けられ、前記フレームの突部から突出した位置決め突部と係合する、
請求項１記載のＬＥＤホルダー。
【請求項３】
前記フレームが前フレームと後フレームとから構成され、
前記基台の前部から取り付け壁が立設され、前記取り付け壁の前面から前記ＬＥＤ固定部が設けられ、
前記取り付け壁が前記前フレームと前記後フレームとに間に挟まれ、
前記突部が前記後フレームに設けられている、
請求項１記載のＬＥＤホルダー。
【発明の詳細な説明】
【技術分野】
【０００１】
本発明は、ＬＥＤ（発光ダイオード）を電動工具に取り付けるためのＬＥＤホルダーに関するものである。
【背景技術】
【０００２】
従来よりインパクトドライバー、ドリルドライバー等の電動工具においては、ビットやモリ等の先端部を照射するＬＥＤを搭載するものがある（例えば、特許文献１参照）。
【０００３】
上記のような電動工具においては、フレームにＬＥＤを収納する構造を持つものもあるが、その構造がないものもあり、収納する構造がないものに関してはＬＥＤを固定するためのＬＥＤホルダーが必要となる。このＬＥＤホルダーの固定には、ネジ止めが広く普及している。
【特許文献１】特開２００３−２１１３７４公報
【発明の開示】
【発明が解決しようとする課題】
【０００４】
上記のようなＬＥＤホルダーをネジ等によりフレームに固定している場合には、部品点数が増えると共にその組み立て工数が増えるという問題点がある。
【０００５】
そこで、本発明は上記問題点に鑑み、ＬＥＤホルダーを簡単に取り付けることができると共に、ネジ等が不要なＬＥＤホルダーを提供する。
【課題を解決するための手段】
【０００６】
請求項１に係る発明は、電動工具にＬＥＤを取り付けるためのＬＥＤホルダーであって、前記ＬＥＤホルダーの基台と、前記基台の前面に設けられ、かつ、前記ＬＥＤの後部が差し込まれる挿入孔を有するＬＥＤ固定部と、前記基台の後部に設けられ、前記電動工具のフレームの突部に嵌め込まれる凹部と、前記ＬＥＤ固定部に貫通した配線孔と、を有するＬＥＤホルダーである。
【０００７】
請求項２に係る発明は、前記基台の後部に位置決め孔が設けられ、前記フレームの突部から突出した位置決め突部と係合する請求項１記載のＬＥＤホルダーである。
【０００８】
請求項３に係る発明は、前記フレームが前フレームと後フレームとから構成され、前記基台の前部から取り付け壁が立設され、前記取り付け壁の前面から前記ＬＥＤ固定部が設けられ、前記取り付け壁が前記前フレームと前記後フレームとに間に挟まれ、前記突部が前記後フレームに設けられている請求項１記載のＬＥＤホルダーである。
【発明の効果】
【０００９】
本発明によれば、ＬＥＤホルダーの凹部を電動工具のフレームの突部に嵌め込むだけで、ＬＥＤホルダーを電動工具のフレームに取り付けることができる。
【発明を実施するための最良の形態】
【００１０】
以下、本発明の一実施形態のＬＥＤホルダー１０について図１〜図８に基づいて説明する。
【００１１】
本実施形態のＬＥＤホルダー１０は、図７に示すようなインパクトドライバーである電動工具１００において、ビット１２６の先端部を照射するためのＬＥＤ１２を取り付けるためのものである。
【００１２】
（１）電動工具１００の構造
まず、電動工具１００の構造について説明する。
【００１３】
この電動工具１００のフレーム１０２は、図７に示すように後フレーム１０４と前フレーム１０６とより構成されている。後フレーム１０４は、合成樹脂製であり、筒状の本体部１０８から把持部１１０が下方へ突出し、この把持部１１０の下端にバッテリー１１２が取り付け可能となっている。また、把持部１１０の上端部にはトリガースイッチ１１４が設けられている。さらに、この本体部１０８の内部にはモータが設けられている。
【００１４】
前フレーム１０６は金属製であり、オイルパルス部とピット１２６等を取り付けるチャック部１１６等が設けられている。
【００１５】
この前フレーム１０６と後フレーム１０４とはネジ止めにより固定される。
【００１６】
（２）ＬＥＤホルダー１０の構造
図１〜図６に基づいてＬＥＤホルダー１０の構造について説明する。
【００１７】
ＬＥＤホルダー１０は、平面矩形状の板よりなる基台１４を有し、この基台１４の前端部から取り付け壁１６が立設されている。
【００１８】
この取り付け壁１６の前面からは、ＬＥＤ１２を固定するためのＬＥＤ固定部１８が突出している。このＬＥＤ固定部１８の正面形状は、図４に示すように長楕円形を有し、その中央部にＬＥＤ１２の後部が差し込まれる挿入孔２０が設けられている。この挿入孔２０は、基台１４と平行ではなく、図６に示すように挿入孔２０の中心軸が傾斜して設けられ、ＬＥＤ１２の先端部が上方に向く。また、このＬＥＤ固定部１８の底面には、切欠き孔２２が設けられ、ＬＥＤ１２の後部を差し込んだ場合に、この後部が切欠き孔２２に挿入され固定される。また、ＬＥＤ固定部１８の閉塞部から取り付け壁１６を貫通して、ＬＥＤ１２の配線用の脚２４が貫通する配線孔２６が設けられている。また、この配線孔２６と連続して、基台１４の上面には、脚２４を後方へ案内するための三角形状の案内ガイド２８が突出している。
【００１９】
基台１４の後端部の上面には、固定用架け橋３０，３０が後方に突出している。この固定用架け橋３０は板状であり、その中央部分は図２のように切り欠かれ切欠き部３４を有している。
【００２０】
固定用架け橋３０の後端部下面には、爪部３２が突出している。但し、この爪部３２が突出している部分は、固定用架け橋３０，３０の内、一方の固定用架け橋３０のみであり、かつ、この爪部３２は切欠き部３４の中央部分まで突出している。この切欠き部３４の中央部まで突出した爪部３２から、基台１４の後端部に向かって連結部３６が架け渡されている。そして、この爪部３２と固定用架け橋３０によって凹部３８が形成されている。また、この爪部３２は連結部３６の弾性によって凹部３８の突部が嵌め込み可能となっている。また、連結部３６と固定用架け橋３０の間の部分の切欠き部３４には、ＬＥＤ１２の脚２４が案内されて取り付けられる。
【００２１】
（３）ＬＥＤホルダー１０の取り付け方法
図７及び図８に基づいて、ＬＥＤホルダー１０を電動工具１００のフレーム１０２に取り付ける構造について説明する。
【００２２】
まず、ＬＥＤホルダー１０のＬＥＤ固定部１８にＬＥＤ１２の後部を差し込み、脚２４を配線孔２６から突出させ、案内ガイド２８、連結部３６の側方に沿って配しておく。
【００２３】
次に、後フレーム１０４の把持部１１０の上端部の内部には、ＬＥＤホルダー１０の凹部３８と係合するためのリブから構成される突部１１８が設けられている。この突部１１８に凹部３８を嵌め込みＬＥＤホルダー１０を後フレーム１０４に仮止めする。この場合に突部１１８の上面からさらに位置決め用突部１２０が突出しているため、この位置決め用突部１２０が固定用架け橋３０の間に設けられた切欠き部３４に係合するようにする。これによって、仮止めだけでなく、ＬＥＤホルダー１０の左右方向の位置決めも行なうことができる。
【００２４】
次に、前フレーム１０６において、ＬＥＤ１２の光を通すための照射孔１２２を有する部分をＬＥＤ固定部１８に挿入し、この前フレーム１０６の後端部と後フレーム１０４の前端部とで取り付け壁１６を挟むように固定する。また、この照射孔１２２を構成する底部１２４は、照射孔１２２を構成する上部分よりも後方に延設され、基台１４を固定する。即ち、前フレーム１０６の底部１２４によって基台１４を支持する。
【００２５】
次に、前フレーム１０６と後フレーム１０４をネジ止めする。
【００２６】
これによって、ＬＥＤホルダー１０を後フレーム１０４と前フレーム１０６の間に確実に固定できる。
【００２７】
また、左右方向は位置決め用突部１２０によって決定されているため、前フレーム１０６の照射孔１２２を正確にＬＥＤ固定部１８に嵌め込むことができる。
【００２８】
さらに、ＬＥＤホルダー１０は後フレーム１０４の突部１１８に仮止めできるため、前フレーム１０６を後フレーム１０４に取り付ける場合に作業が簡単となる。
【００２９】
本発明は上記各実施形態に限らず、その主旨を逸脱しない限り種々に変更することができる。
【００３０】
例えば、上記実施形態では、電動工具１００にＬＥＤホルダー１０を取り付ける場合について説明したが、他の電気機器に取り付けても良い。
【産業上の利用可能性】
【００３１】
本発明は、オイルパルスレンチ、インパクトドライバー、ドリルドライバー等の電動工具においてＬＥＤを固定する場合に好適である。
【図面の簡単な説明】
【００３２】
【図１】本発明の一実施形態を示すＬＥＤホルダーの側面図である。
【図２】ＬＥＤホルダーの平面図である。
【図３】ＬＥＤホルダーの底面図である。
【図４】ＬＥＤホルダーの正面図である。
【図５】ＬＥＤホルダーの背面図である。
【図６】図２におけるＡ−Ａ線断面図である。
【図７】電動工具の側面図である。
【図８】ＬＥＤホルダーを電動工具に取り付けている場合の一部拡大縦断面図である。
【符号の説明】
【００３３】
１０  ＬＥＤホルダー
１２  ＬＥＤ
１４  基台
１６  取り付け壁
１８  ＬＥＤ固定部
２０  挿入孔
２２  切欠き孔
２４  脚
２６  配線孔
２８  案内ガイド
３０  固定用架け橋
３２  爪部
３４  切欠き部
３６  連結部
３８  凹部
１００  電動工具
１０２  フレーム
１０４  後フレーム
１０６  前フレーム
１１８  突部
１２０  位置決め用突部
【図１】
2008188745.tif 000003
【図２】
2008188745.tif 000004
【図３】
2008188745.tif 000005
【図４】
2008188745.tif 000006
【図５】
2008188745.tif 000007
【図６】
2008188745.tif 000008
【図７】
2008188745.tif 000009
【図８】
2008188745.tif 000010